(57)【要約】      （修正有）【課題】光ディスク装置において、高速記録再生時にディスクの高速回転により発生する流体音（風切音）が装置外部へ漏れることにより騒音が増大するのを防止する。【解決手段】情報記録媒体であるディスクと、レーザ素子を備えた光ピックアップと、ディスク回転機構と、光ピックアップをディスク内周から外周まで移動させる送り機構と、光ピックアップ，ディスク回転機構，送り機構を搭載してなるメカシャシーと、ディスクの格納および取出しを行うディスクトレイ３と、駆動制御用の回路基板１１と、回路基板と外部電子機器を電気的に繋ぐコネクタ１２と、構成部品を搭載してなる装置筐体１とからなる光ディスク装置であって、ディスクトレイ裏面のディスクトレイ格納時にコネクタと対峙する箇所に、コネクタ周囲と装置筐体の隙間に略嵌合する突起部６１を設ける。【選択図】図７
2010198706.tif 000002
【特許請求の範囲】
【請求項１】
情報記録媒体であるディスクの記録と再生を行う光ピックアップと、前記ディスクの回転機構と、前記光ピックアップを前記ディスクの内周から外周まで移動させる送り機構と、前記光ピックアップとディスク回転機構と送り機構を搭載するメカシャシーと、前記ディスクの格納と取出しを行うディスクトレイと、前記回転機構等の駆動制御を行う回路基板と外部電子機器を電気的に繋ぐコネクタとを筐体に収納した光ディスク装置において、
前記ディスクトレイが格納された位置における前記コネクタと対向する箇所であって、
前記コネクタの周囲と前記筐体の隙間に挿入される突起部を前記ディスクトレイの裏面に設けたことを特徴とする光ディスク装置。
【請求項２】
請求項１記載の光ディスク装置において、
前記突起部は前記コネクタの上面ならびに側面と前記筐体との隙間に挿入されることを特徴とする光ディスク装置。
【請求項３】
請求項１記載の光ディスク装置において、
前記突起部は前記コネクタの上面と前記筐体の隙間のみに挿入されることを特徴とする光ディスク装置。
【請求項４】
請求項１記載の光ディスク装置において、
前記突起部は前記コネクタの側面と前記筐体の隙間のみに挿入されることを特徴とする光ディスク装置。
【請求項５】
請求項１記載の光ディスク装置において、
前記ディスクトレイが格納された位置であって、前記コネクタと対向する位置の前記ディスクトレイに貫通する切欠部を設けたことを特徴とする光ディスク装置。
【請求項６】
請求項５記載の光ディスク装置において、
前記切欠部を形成する切欠面がコネクタと対峙する面に対して傾斜していることを特徴とする光ディスク装置。
【請求項７】
請求項１から請求項６のいずれか１項に記載の光ディスク装置を搭載した電子機器。
【発明の詳細な説明】
【技術分野】
【０００１】
本発明は、円盤状のディスクを回転させた状態で情報の記録および再生を行う光ディスク装置に関するものである。
【背景技術】
【０００２】
光ディスク装置とは、データ記録媒体である円盤状のディスクを回転させた状態で、ディスク盤面にデータの記録を行うと共に、ディスク盤面に記録されたデータを再生させるデータ記憶装置である。データを記録，再生させるための信号書き込みおよび読み取り手段として使用される、半導体レーザ素子およびレーザ受光部等を備えた電子部品（光学ヘッド）は、光ピックアップもしくは単にピックアップと称される。
【０００３】
データ記録媒体であるディスクとしては、例えば、ＣＤ−ＲＯＭ，ＣＤ−Ｒ，ＣＤ−ＲＷ，ＤＶＤ−ＲＯＭ，ＤＶＤ−Ｒ，ＤＶＤ−ＲＷ，ＤＶＤ−ＲＡＭ，ＤＶＤ＋Ｒ，ＤＶＤ＋ＲＷ，ＢＤ−ＲＯＭ，ＢＤ−Ｒ，ＢＤ−ＲＥ等が挙げられる。そして、光ディスク装置は一般に、光ディスク装置へのアクセス制御および演算処理等を行う中央演算処理装置（ＣＰＵ）を備えた電子機器、例えばパーソナルコンピュータ（ＰＣ）などに搭載される。前記電子機器がデスクトップ型ＰＣである場合は、光ディスク装置は一般にハーフハイト型光ディスク装置と称され、ノート型ＰＣである場合は、一般にスリム型光ディスク装置と称される。
【０００４】
この内、スリム型光ディスク装置においては、データ記憶容量の大容量化，データ記録再生速度の高速化と共に、高速記録再生時の静音化が特に要求されている。高速記録再生時の騒音源としては、ディスクの高速回転にともなう流体音（風切音）が主要である。
【０００５】
一方で、ディスク装置内部で発生した流体音が装置外部へ伝播する経路を遮断することにより、音漏れを低減させることも必要となる。スリム型光ディスク装置の場合、ディスク回転速度は最速で９０Ｈｚ程度（ＣＤ２４倍速相当）であり、今後のさらなる高速記録再生に対応するには、流体音（風切音）の低減と共に、音漏れ低減がこれまで以上に重要となる。
【０００６】
静音化の対策として、例えば特開２００１−４３６１３号公報では、ディスク載置用のディスクトレイに通風孔を設け、ディスク下面の空気流を通風孔から排出させることで、流体音（風切音）を低減させるという方法が提案されている。
【先行技術文献】
【特許文献】
【０００７】
【特許文献１】特開２００１−４３６１３号公報
【発明の概要】
【発明が解決しようとする課題】
【０００８】
上記スリム型光ディスク装置においては、高速記録再生時にディスク高速回転により発生する流体音（風切音）が装置外部へ漏れることによる騒音が増大するという問題がある。
【０００９】
本発明の目的は、流体音（風切音）が装置外部へ漏れることによる騒音の発生を防止した光ディスク装置を提供することにある。
【課題を解決するための手段】
【００１０】
上記目的は、情報記録媒体であるディスクの記録と再生を行う光ピックアップと、前記ディスクの回転機構と、前記光ピックアップを前記ディスクの内周から外周まで移動させる送り機構と、前記光ピックアップとディスク回転機構と送り機構を搭載するメカシャシーと、前記ディスクの格納と取り出しを行うディスクトレイと、前記回転機構等の駆動制御を行う回路基板と外部電子機器を電気的に繋ぐコネクタとを筐体に収納した光ディスク装置において、前記ディスクトレイが格納された位置における前記コネクタと対向する箇所であって、前記コネクタの周囲と前記筐体の隙間に挿入される突起部を前記ディスクトレイの裏面に設けたことにより達成される。
【００１１】
また上記目的は、前記突起部は前記コネクタの上面ならびに側面と前記筐体との隙間に挿入されることにより達成される。
【００１２】
また上記目的は、前記突起部は前記コネクタの上面と前記筐体の隙間のみに挿入されることにより達成される。
【００１３】
また上記目的は、前記突起部は前記コネクタの側面と前記筐体の隙間のみに挿入されることにより達成される。
【００１４】
また上記目的は、前記ディスクトレイが格納された位置であって、前記コネクタと対向する位置の前記ディスクトレイに貫通する切欠部を設けたことにより達成される。
【００１５】
また上記目的は、前記切欠部を形成する切欠面がコネクタと対峙する面に対して傾斜していることにより達成される。
【発明の効果】
【００１６】
本発明によれば、流体音（風切音）が装置外部へ漏れることによる騒音の発生を防止した光ディスク装置を提供できる。
【図面の簡単な説明】
【００１７】
【図１】第一の実施の形態を適用してなる光ディスク装置の概略内部構造を示した斜視図である。
【図２】第一の実施の形態を適用してなる光ディスク装置の概略内部構造を示した斜視図である。
【図３】本発明の実施の形態を適用してなる光ディスク装置における底板カバーの概略構造を示した斜視図である。
【図４】第一の実施の形態を適用してなる光ディスク装置におけるディスクトレイの構造を示した斜視図である。
【図５】第一の実施の形態を適用してなる光ディスク装置におけるディスクトレイの構造を示した斜視図である。
【図６】第一の実施の形態を適用してなる光ディスク装置におけるコネクタ周囲の概略構造を示した説明図である。
【図７】第一の実施の形態を適用してなる光ディスク装置におけるコネクタ周囲の概略構造を示した断面図である。
【図８】第一の実施の形態を適用してなる光ディスク装置の騒音測定結果を示す説明図である。
【図９】第一の実施の形態を適用してなる光ディスク装置におけるディスクトレイの構造を示した斜視図である。
【図１０】第二の実施の形態を適用してなる光ディスク装置におけるディスクトレイの構造を示した斜視図である。
【図１１】第二の実施の形態を適用してなる光ディスク装置におけるディスクトレイの構造を示した斜視図である。
【図１２】第二の実施の形態を適用してなる光ディスク装置におけるコネクタ周囲の概略構造を示した説明図である。
【図１３】第二の実施の形態を適用してなる光ディスク装置におけるコネクタ周囲の概略構造を示した断面図である。
【図１４】第二の実施の形態を適用してなる光ディスク装置におけるコネクタ周囲の空気流れのようすを模式的に示した説明図である。
【図１５】第二の実施の形態を適用してなる光ディスク装置の騒音測定結果を示す説明図である。
【図１６】第二の実施の形態を適用してなる光ディスク装置におけるコネクタ周囲の概略構造を示した断面図である。
【図１７】第二の実施の形態を適用してなる光ディスク装置におけるディスクトレイの構造を示した斜視図である。
【発明を実施するための形態】
【００１８】
以下、本発明の一実施例を図にしたがって説明する。
【実施例１】
【００１９】
図１は第一の実施の形態を有する光ディスク装置の概略内部構成を示した斜視図である。
【００２０】
図２は、図１で示す光ディスク装置を後方から見た斜視図である。  
なお、図１および図２において、光ディスク装置の天板カバーは省略している。
【００２１】
図１及び図２において、ディスク２を載置するためのディスクトレイ３が装置内部に設けられているガイド（図示せず）上を移動することにより、ディスク２の装置内部への格納および装置内部からのディスク２の取り出しが行われる。
【００２２】
図１はディスクトレイ３が底板カバー１（装置筐体）の中に格納された状態を示している。ディスク２をディスクトレイ３に載置する際には、ディスク２をディスク回転駆動用のスピンドルモータ４のターンテーブル５上に載せてディスクチャック６で固定するようになっている。そして、スピンドルモータ４を回転駆動させることによりディスク２が回転する。ディスク２を回転させた状態で、光ピックアップ７をディスク２の内周から外周方向へ、送り機構（図示せず）により移動させる。この時、光ピックアップ７内に装着されているレーザ素子から発振されたレーザ光は、光学ユニットを通過して対物レンズ８からディスク２の記録層へ照射されてディスク２へのデータの記録が行われる。
【００２３】
一方、ディスク２に記録されたデータの再生時には、ディスク２からの反射光が対物レンズ８から光学ユニットを通過して、レーザ受光部にて検出される。光ピックアップ７とディスク２の間には、光ピックアップ７の対物レンズ８周囲以外を覆う化粧板９が設けられている。なお、光ピックアップ７とスピンドルモータ４と送り機構等は、一般にメカシャシーと呼ばれる構造部材に搭載される。メカシャシーは化粧板９の下側に設置されるため、ここでは省略している。また、ディスクトレイ３の前面部を一般にフロントベゼル１０と称す。
【００２４】
図３は底板カバーの斜視図である。  
図３は、図１と図２に示したディスク装置からディスクトレイ３，化粧板９，光ピックアップ７，スピンドルモータ４およびメカシャシーを取り外した状態であり、底板カバー１を裏面側から見た図を並べたものである。  
図３において、底板カバー１にはディスク装置制御用の回路基板１１が装着されており、回路基板１１上にコネクタ１２が取り付けられている。このコネクタ１２を介して、ディスク装置へのアクセス制御および演算処理等を行う中央演算処理装置を備えた電子機器（例えばＰＣ）とディスク装置が電気的に繋げられる。
【００２５】
コネクタ１２は、ディスクトレイ３をディスク装置に格納した際、ディスクトレイ３のディスク２記録再生面に対向する略円形状の平坦面３ａ（図１，図２に示す）の周囲領域で、平坦面３ａに対して凸状に盛り上がる平坦面３ｂ（図１，図２に示す）の下側に位置する。また、コネクタ１２上面と底板カバー１との間及びコネクタ１２側面と底板カバー１との間には、ディスク装置を搭載する電子機器とディスク装置を電気的に繋いだ際、両者間の干渉を防ぐため、隙間（クリアランス）１３ａ，１３ｂ，１３ｃが形成される。
【００２６】
図４および図５は本実施の形態に用いられるディスクトレイ３の斜視図を示す。  
図４はディスクトレイ３を表面側（ディスク２記録再生面の対向面側）から見た斜視図である。図５はディスクトレイ３を裏面側から見た斜視図である。  
図４，図５において、ディスクトレイ３の平坦面３ｂの裏面３ｂ′の、ディスクトレイ３格納時に図３に示したコネクタ１２に対向する箇所に、コネクタ１２上面と底板カバー１の隙間に略嵌合する突起部６１ａ，コネクタ１２側面と底板カバー１の隙間に略嵌合する突起部６１ｂ，６１ｃを設ける。
【００２７】
図６，図７はディスク装置のコネクタ１２周辺部の概略構成図であり、特に図７はコネクタ１２を含むＡ−Ａ線の縦断面図である。  
図６，図７において、ディスクトレイ３を装置内部に格納した際（図６の点線矢印方向に格納）、突起部６１ａ，６１ｂ，６１ｃがコネクタ１２の上面および側面を覆うことにより、コネクタ１２と底板カバー１の隙間１３ａ，１３ｂ，１３ｃがほぼ塞がれる。
【００２８】
以上、第一の実施形態により、ディスクトレイ３をディスク装置に格納した際、図７に示すようにコネクタ１２周囲をディスクトレイ３の裏面３ｂ′の突起部６１ａ，６１ｂ，６１ｃが覆い、コネクタ１２とディスク装置筐体の隙間１３ａ，１３ｂ，１３ｃを塞ぐことになるため、音漏れ低減による静音化が可能となる。
【００２９】
図８は突起部６１ａ，６１ｂ，６１ｃが有る場合と無い場合の騒音測定結果を示すグラフ図である。  
図８において、ディスクを約９０Ｈｚ（ＣＤ２４倍速相当）で回転させた場合の、ディスク装置後方からの測定結果である。突起部６１ａ，６１ｂ，６１ｃを設けることにより、騒音値が０.４ｄＢ低減することを確認した。
【００３０】
なお、本実施形態においては、ディスクトレイ３の裏面３ｂ′の突起部６１ａ，６１ｂ，６１ｃは、例えば図９に示すように、突起部６１ａのみが備わっている場合であってもよい。この場合は、ディスクトレイ３をディスク装置に格納した際、コネクタ１２上面と底板カバー１の隙間１３ａに突起部６１ａが略嵌合し、コネクタ１２上面と装置筐体の隙間１３ａを塞ぐことになるため、音漏れ低減による静音化が可能となる。また、ディスクトレイ３の裏面３ｂ′の突起部６１ａ，６１ｂ，６１ｃは、突起部６１ｂおよび６１ｃが備わっている場合、もしくは突起部６１ａおよび６１ｂが備わっている場合、もしくは突起部６１ａおよび６１ｃが備わっている場合、もしくは突起部６１ｂ，６１ｃのいずれか一方が備わっている場合であってもよい。
【実施例２】
【００３１】
図１０および図１１に、第二の実施形態に用いられるディスクトレイ３の斜視図を示す。  
図１０はディスクトレイ３を表面側（ディスク２記録再生面の対向面側）から見た斜視図である。  
図１１はディスクトレイ３を裏面側から見た斜視図である。  
図１０，図１１において、ディスクトレイ３のディスク２記録再生面に対向する略円形状の平坦面３ａの周囲領域で、平坦面３ａに対して凸状に盛り上がる平坦面３ｂであって、本実施形態ではディスクトレイ３格納時にコネクタ１２と対向する箇所に切欠部５１を設けている。さらに、第一の実施形態と同様に、ディスクトレイ３のディスク２記録再生面に対向する略円形状の平坦面３ａの周囲領域で、平坦面３ａに対して凸状に盛り上がる平坦面３ｂの裏面３ｂ′において、ディスクトレイ３格納時にコネクタ１２と対向する箇所にコネクタ１２の上面および側面と底板カバー１の隙間に略嵌合する突起部６１ａ，６１ｂ，６１ｃを設けている。このとき、切欠部５１は、突起部６１ａ，６１ｂ，６１ｃよりもディスク側に位置する。
【００３２】
図１２および図１３はコネクタ１２周辺部の概略構成図である。特に図１３はコネクタ１２を含むＢ−Ｂ線の縦断面図である。  
図１２，図１３において、ディスクトレイ３を装置内部に格納した際（図１２の点線矢印方向に格納）、突起部６１ａ，６１ｂ，６１ｃがコネクタ１２の周囲を覆うことにより、コネクタ１２と底板カバー１の隙間１３ａ，１３ｂ，１３ｃが塞がれる。このとき、切欠部５１は、突起部６１ａ，６１ｂ，６１ｃよりもディスク側に位置している。
【００３３】
図１４はコネクタ１２周辺部における空気の流れのようすを示す模式図である。  
図１４において、ディスクトレイ３の平坦面３ｂのコネクタ１２と対向する箇所に切欠部５１を設けることにより、ディスクトレイ３と底板カバー１の隙間が広がり、ディスク回転により生ずる空気流が乱れなく切欠部５１からディスクトレイ３裏面へと流れ込む。こうすることで、コネクタ１２周囲の流れの乱れを軽減し、流体音（風切音）を低減させることができる。
【００３４】
図１５は切欠部５１が有る場合と無い場合の騒音測定結果を示すグラフ図である。  
図１５において、ディスクを約９０Ｈｚ（ＣＤ２４倍速相当）で回転させた場合の、ディスク装置後方からの測定結果である。切欠部５１を設けることにより、騒音値が０.４ｄＢ低減することを確認した。このように、切欠部５１を設ける位置は、ディスクトレイ３の平坦面３ｂの後方側（コネクタ１２に対峙する位置）であることが望ましい。
【００３５】
以上、第二の実施形態により、ディスクトレイ３と底板カバー１の隙間が切欠部５１により広がり、空気流が乱れなく切欠部５１からディスクトレイ３裏面へと流れ込むことで、コネクタ１２周囲の流体音（風切音）が低減する。さらに、コネクタ１２周囲をディスクトレイ３の裏面３ｂ′の突起部６１ａ，６１ｂ，６１ｃが覆い、コネクタ１２と装置筐体の隙間１３ａ，１３ｂ，１３ｃを塞ぐことにより、音漏れ低減による静音化が可能となる。
【００３６】
なお、本実施の形態において、平坦面３ｂに設ける切欠部５１の縦断面形状は、平坦面３ｂに対して直角のみならず傾斜していてもよい。  
すなわち、図１６に示すように、切欠部５１の切欠面５２とディスクトレイ３の平坦面３ｂとが成す角度θ52は、９０度より小さくてもよい。こうすることで、空気流がよりスムーズに切欠部５１からディスクトレイ３裏面へと流れ込み、流体音（風切音）を低減させることができる。
【００３７】
また、本実施の形態において、ディスクトレイ３の裏面３ｂ′の突起部６１ａ，６１ｂ，６１ｃは、突起部６１ａのみが備わっている場合であってもよい。この場合は、ディスクトレイ３をディスク装置に格納した際、コネクタ１２上面と底板カバー１の隙間１３ａに突起部６１ａが略嵌合し、コネクタ１２上面とディスク装置筐体の隙間１３ａを塞ぐことになるため、音漏れ低減による静音化が可能となる。また、突起部６１ａ，６１ｂ，６１ｃは、突起部６１ｂおよび６１ｃが備わっている場合、もしくは突起部６１ａおよび６１ｂが備わっている場合、もしくは突起部６１ａおよび６１ｃが備わっている場合、もしくは突起部６１ｂ，６１ｃのいずれか一方が備わっている場合であってもよい。
【００３８】
また、本実施の形態においては、図１７に示すように、ディスクトレイ３の裏面３ｂ′の突起部６１ａ，６１ｂ，６１ｃが備わってなく、平坦面３ｂに設ける切欠部５１のみが備わっている場合であってもよい。この場合も、平坦面３ｂに設ける切欠部５１の縦断面形状は、平坦面３ｂに対して直角のみならず傾斜していてもよい。
【００３９】
以上、第一および第二の実施形態を適用してなる光ディスク装置が搭載される電子機器としては、ノート型パーソナルコンピュータ（ＰＣ）だけではなく、ハードディスク（ＨＤＤ）レコーダー，ＤＶＤレコーダー，カーナビゲーションシステムなどの車載用コンピュータあるいは光ディスクを搭載するカメラおよびゲーム機等であってもよい。
【００４０】
本発明は以上のごとく、ディスク載置用のディスクトレイと、ディスク装置を搭載する電子機器（例えばＰＣ）とディスク装置を電気的に繋ぐコネクタとを有する光ディスク装置（スリム型光ディスク装置）において、ディスクトレイ裏面の、ディスクトレイ格納時に前記コネクタに対峙する箇所に、コネクタ周囲と装置筐体の隙間に略嵌合する突起部を設けたことにより、ディスクトレイをディスク装置に格納した際、前記コネクタの周囲をディスクトレイ裏面の突起部が覆い、コネクタとディスク装置筐体の隙間を塞ぐことになるため、音漏れの低減による静音化が可能となる。
【００４１】
また、本発明は、ディスク載置用のディスクトレイと、ディスク装置を搭載する電子機器（例えばＰＣ）とディスク装置を電気的に繋ぐコネクタとを有する光ディスク装置（スリム型光ディスク装置）において、ディスクトレイの、ディスクトレイ格納時に前記コネクタに対峙する箇所に、切欠部を設けたことにより、ディスクトレイをディスク装置に格納した際、ディスクトレイとディスク装置筐体の隙間が広がり、ディスク回転により生ずる空気流が乱れなく切欠部からディスクトレイ裏面へと流れ込むため、前記コネクタ周囲の流れの乱れが軽減し、流体音（風切音）が低減する。
【００４２】
本発明によれば、高速記録再生時にディスク回転に伴い発生する流体音（風切音）が、ディスク装置を搭載する電子機器とディスク装置を電気的に繋ぐコネクタの周囲から漏れるのを防ぐことができるため、静音化が可能となる。また、高速記録再生時にディスク装置を搭載する電子機器とディスク装置を電気的に繋ぐコネクタ周囲で発生する流体音（風切音）を低減することができるため、静音化が可能となる。
【符号の説明】
【００４３】
１  底板カバー（装置筐体）
２  ディスク
３  ディスクトレイ
４  スピンドルモータ
５  ターンテーブル
６  ディスクチャック
７  光ピックアップ
８  対物レンズ
９  化粧版
１０  フロントベゼル
１１  回路基板
１２  コネクタ
１３ａ，１３ｂ，１３ｃ  隙間（クリアランス）
５１  切欠部
５２  切欠面
６１ａ，６１ｂ，６１ｃ  突起部
【図１】
2010198706.tif 000003
【図２】
2010198706.tif 000004
【図３】
2010198706.tif 000005
【図４】
2010198706.tif 000006
【図５】
2010198706.tif 000007
【図６】
2010198706.tif 000008
【図７】
2010198706.tif 000009
【図８】
2010198706.tif 000010
【図９】
2010198706.tif 000011
【図１０】
2010198706.tif 000012
【図１１】
2010198706.tif 000013
【図１２】
2010198706.tif 000014
【図１３】
2010198706.tif 000015
【図１４】
2010198706.tif 000016
【図１５】
2010198706.tif 000017
【図１６】
2010198706.tif 000018
【図１７】
2010198706.tif 000019